(57)【特許請求の範囲】
【請求項１】
表示パネルの裏側に配置される発光灯と、該発光灯及び前記表示パネルの間に配置される光学シートとを支持する支持体を備える光源装置において、
前記支持体は、前記光学シートと対向する側が開放され、前記発光灯が収容される箱部と、該箱部の開放縁から前記光学シートに沿う方向へ延出され、光学シートの周縁部を支持する第１延出片と、該第１延出片の先端から前記箱部の周壁外面と対向する側へ延出された第２延出片とを有し、前記第１延出片に挿通孔を設けてあり、
前記挿通孔に挿通され、且つ前記第１延出片及び第２延出片の少なくとも一方に係止される係止爪と、前記光学シートが第１延出片の延出方向へ摺動するのを規制する規制部とを有する規制体を備えることを特徴とする光源装置。
【請求項２】
前記規制体は前記係止爪が第１延出片に係止されたとき、前記第２延出片に当接し、規制体が前記第１延出片の延出方向へ移動するのを防ぐ可撓片を有する請求項１記載の光源装置。
【請求項３】
前記挿通孔は第２延出片に跨る長孔である請求項１又は２記載の光源装置。
【請求項４】
前記第２延出片は、前記挿通孔と第２延出片の延出方向へ離隔する係止部を有し、該係止部に係止される爪部を前記可撓片に設けてある請求項１乃至３のいずれか一つに記載の光源装置。
【請求項５】
前記発光灯が発光した光を前記光学シート側に反射させる扁平部と、該扁平部の周縁から立上がる立上部及び該立上部の先端から前記第１延出片に沿う方向へ延出された延出部とを有する反射シートを備え、前記規制体は突起を有し、該突起が挿入される貫通孔を前記第１延出片及び延出部に設けてある請求項１乃至４のいずれか一つに記載の光源装置。
【請求項６】
表示パネルと、該表示パネルの裏側に配置された請求項１乃至５のいずれか一つに記載の光源装置とを備えることを特徴とする表示装置。 
【発明の詳細な説明】
【技術分野】
【０００１】
本発明は液晶表示装置等の表示装置の光源として使用される光源装置及びこれを備える表示装置に関する。
【背景技術】
【０００２】
テレビ等の表示装置は、画像を表示する表示パネルの裏側に光源装置が配置され、該光源装置と表示パネルとの間に、光源装置が発光した光を拡散する拡散シート等の光学シートが配置されている。
【０００３】
光源装置は上下に離隔して並置される複数本の蛍光管と、夫々の蛍光管を収容支持する支持体と、該支持体内に収容され、蛍光管が発光した光を反射させる反射シートとを備える（例えば、特許文献１参照）。
【０００４】
また、光源装置の支持体として、光学シートと対向する側が開放され、前記蛍光管が収容される箱部と、該箱部の開放縁から前記光学シートに沿う方向へ延出され、光学シートの周縁部を支持する延出片と、該延出片の一部が表示パネル側へ切起こしされ、光学シートの摺動を規制する規制片とを有するものが知られている。。
【０００５】
このように構成された光源装置は、蛍光管を支持体の箱部内に収容支持した後、箱部の開放側に光学シートが運ばれ、該光学シートの周縁部が支持体の延出片に載置して支持される。このとき、光学シートが適正位置に対して位置ずれするのを前記規制片が防ぐようになっている。
【０００６】
また、反射シートは扁平部と、該扁平部の両縁から立上がる二つの立上部と、該立上部の夫々の先端から支持体の延出片に沿う方向へ延出された延出部とを有し、該延出部が両面テープにより前記延出片に固定されるように構成されている。
【特許文献１】特開２００１−２１５４９７号公報
【発明の開示】
【発明が解決しようとする課題】
【０００７】
ところが、以上のように構成された光源装置にあっては、支持体に支持する光学シートが摺動するのを規制するための規制片が、支持体の開放縁から延出された延出片の一部を表示パネル側へ切起こすことにより形成されているため、箱形をなす支持体を移動させるとき、又は、支持体に蛍光管等が組み込まれた光源装置を移動させるとき、直方体をなす支持体が長手方向両端間で捩じれて変形し易く、該支持体の剛性を高めることが要望されていた。
【０００８】
本発明は斯かる事情に鑑みてなされたものであり、主たる目的は光学シートの周縁部を支持する第１延出片の先端に、発光灯を収容する箱部の周壁外面と対向する第２延出片を設けて支持体の剛性を高め、前記第１延出片に挿通孔を設け、該挿通孔に挿通して係止する規制体を備えることにより光学シートの位置ずれを簡易に防ぐことができる光源装置及び表示装置を提供することにある。
【０００９】
また、他の目的は第２延出片に当接して規制体が第１延出片の延出方向へ移動するのを防ぐ可撓片を規制体に設けることにより、該規制体の係止状態を簡易に維持することができる光源装置及び表示装置を提供することにある。
【００１０】
また、他の目的は挿通孔を第２延出片に跨る長孔とすることにより、規制体を簡易に係止することができ、しかも、第１延出片の延出方向と交差する方向への押圧力を規制体に加えることにより規制体の係止を解除することができる光源装置及び表示装置を提供することにある。
【００１１】
また、他の目的は挿通孔と第２延出片の延出方向へ離隔する係止部を第２延出片に設け、該係止部に係止される爪部を可撓片に設けることにより、規制体が不測に脱落する可能性を低減できる光源装置及び表示装置を提供することにある。
【００１２】
また、他の目的は規制体に突起を設け、該突起が挿入される貫通孔を、第１延出片と対向する延出部を有する反射シートの前記延出部に設けることにより、反射シートの位置ずれを防ぐことができる光源装置及び表示装置を提供することにある。
【課題を解決するための手段】
【００１３】
本発明に係る光源装置及び表示装置は、表示パネルの裏側に配置される発光灯と、該発光灯及び前記表示パネルの間に配置される光学シートとを支持する支持体を備える光源装置において、前記支持体は、前記光学シートと対向する側が開放され、前記発光灯が収容される箱部と、該箱部の開放縁から前記光学シートに沿う方向へ延出され、光学シートの周縁部を支持する第１延出片と、該第１延出片の先端から前記箱部の周壁外面と対向する側へ延出された第２延出片とを有し、前記第１延出片に挿通孔を設けてあり、前記挿通孔に挿通され、且つ前記第１延出片及び第２延出片の少なくとも一方に係止される係止爪と、前記光学シートが第１延出片の延出方向へ摺動するのを規制する規制部とを有する規制体を備えることを特徴とする。
【００１４】
この発明にあっては、箱部の開放縁に連なる第１延出片及び第２延出片が設けられており、第１延出片に規制体用の挿通孔が設けられているため、支持体の剛性を高めることができ、しかも、挿通孔に規制体の係止爪を挿通することにより、光学シートが適正位置に対して位置ずれするのを防ぐことができ、組込作業性を向上できる。
【００１５】
また、本発明に係る光源装置及び表示装置は、前記規制体は前記係止爪が第１延出片に係止されたとき、前記第２延出片に当接し、規制体が前記第１延出片の延出方向へ移動するのを防ぐ可撓片を有することを特徴とする。
【００１６】
この発明にあっては、可撓片が第２延出片の内面に当接して規制体が前記第１延出片の延出方向へ移動するのを防ぐため、規制体のガタつきを防ぐことができる。
【００１７】
また、本発明に係る光源装置及び表示装置は、前記挿通孔は第２延出片に跨る長孔であることを特徴とする。
【００１８】
この発明にあっては、第１延出片の延出方向と交差する方向から係止爪及び可撓片を挿通孔に挿通することができるため、規制体を簡易に係止することができ、また、第１延出片の延出方向と交差する方向への押圧力を規制体に加えることにより該規制体を第１延出片の延出方向と交差する方向へ移動させ、該規制体の係止を解除することができ、分解して廃棄処分するとき等の分解作業性を向上できる。
【００１９】
また、本発明に係る光源装置及び表示装置は、前記第２延出片は、前記挿通孔と第２延出片の延出方向へ離隔する係止部を有し、該係止部に係止される爪部を前記可撓片に設けてあることを特徴とする。
【００２０】
この発明にあっては、係止爪が第１延出片に係止され、可撓片の爪部が係止部に係止されるため、規制体の係止をより一層強固にでき、規制体が不測に脱落する可能性を低減できる。
【００２１】
また、本発明に係る光源装置及び表示装置は、前記発光灯が発光した光を前記光学シート側に反射させる扁平部と、該扁平部の周縁から立上がる立上部及び該立上部の先端から前記第１延出片に沿う方向へ延出された延出部とを有する反射シートを備え、前記規制体は突起を有し、該突起が挿入される貫通孔を前記第１延出片及び延出部に設けてあることを特徴とする。
【００２２】
この発明にあっては、第１延出片及び延出部の貫通孔に挿入された規制体の突起が反射シートの位置ずれを防ぐため、反射シートの延出部及び第１延出片間に両面テープを貼付けることなく、反射シートの位置ずれを防ぐことができる。
【発明の効果】
【００２３】
以上詳述したように本発明によれば、支持体は箱部と該箱部の開放縁に連なる第１延出片及び第２延出片を有するため、支持体の剛性を高めることができ、しかも、支持体と別個に設けられた規制体を第１延出片に係止する作業により光学シートが適正位置に対して位置ずれするのを防ぐことができるため、光学シートの組込作業性を向上できる。
【００２４】
また、本発明によれば、可撓片が第２延出片に当接して規制体のガタつきを防ぐことができるため、この規制体の係止状態を簡易に維持することができる。
【００２５】
また、本発明によれば、第１延出片の延出方向と交差する方向から係止爪及び可撓片を挿通孔に挿通することができるため、規制体を簡易に係止することができ、しかも、第１延出片の延出方向と交差する方向への押圧力を規制体に加えることにより規制体の係止を解除することができるため、分解して廃棄処分するとき等の分解作業性を向上できる。
【００２６】
また、本発明によれば、係止爪及び可撓片の爪部により規制体の係止をより一層強固にでき、規制体が不測に脱落する可能性を低減できる。
【００２７】
また、本発明によれば、光学シートの位置ずれを防ぐための規制体により反射シートの位置ずれを防ぐことができるため、反射シートの位置ずれを防ぐための専用の部材をなくすることができ、コストの低減を図ることができる。
【発明を実施するための最良の形態】
【００２８】
以下本発明をその実施の形態を示す図面に基づいて詳述する。
図１は本発明に係る表示装置の構成を示す分解斜視図、図２は光源装置の構成を示す分解斜視図、図３及び図４は要部の拡大斜視図、図５及び図６は要部の拡大断面図、図７は規制体の構成を示す斜視図である。
【００２９】
図示した光源装置は、複数本が並置される円筒形をなす発光灯１と、該発光灯１を収容支持し、且つ拡散板等の光学シート２の周縁部を支持する支持体３と、該支持体３に支持され光学シート２が該光学シート２の面に沿う方向へ摺動するのを規制する規制体４と、支持体３内に収容され発光灯１が発光した光を支持体３の開放側へ反射させる反射シート５とを備える。
【００３０】
発光灯１は両端部に電極を有する冷陰極管であり、支持体３内の両側に配置されるホルダ６，６に両端部が保持される。
【００３１】
支持体３は金属板を曲げ加工してなり、光学シート２と対向する側が開放された直方体をなす箱部３１と、該箱部３１の開放縁から光学シート２に沿う方向へ延出され、光学シート２の周縁部を支持する二つの第１延出片３２，３２と、該第１延出片３２，３２の先端から箱部３１の周壁外面と対向する側へ延出された第２延出片３３，３３とを有する。
【００３２】
第１延出片３２，３２は発光灯１の長手方向と直交する幅方向両側の側壁３１ａ，３１ａと一体に形成されており、側壁３１ａと第１延出片３２及び第２延出片３３とにより断面コ字形をなしている。第１延出片３２，３２の側壁側は光学シート２の周縁部一面と対向する支持面になっており、第１延出片３２，３２の第２延出片３３，３３側で、且つ長手方向両側には厚さ方向に貫通、換言すると支持面を貫通する二つの挿通孔３４，３４が長手方向へ離隔して夫々設けられており、また、挿通孔３４，３４の一側には後記する突起４４が挿入される比較的小径の貫通孔３５，３５が設けられている。挿通孔３４，３４は第２延出片３３，３３に跨る長孔であり、第１延出片３２，３２及び第２延出片３３，３３の境界部を超えて設けてあり、係止爪４１，４１及び後記する可撓片４２，４２を第１延出片３２，３２の延出方向と傾斜する方向から挿入することが可能になっている。
【００３３】
第２延出片３３，３３の長手方向両側には挿通孔３４，３４に対して第２延出片３３，３３の延出方向へ離隔する二つの係止孔３６，３６が夫々設けられており、挿通孔３４，３４及び係止孔３６，３６により規制体４が係止される。
【００３４】
箱部３１内の長手方向両端部には発光灯１の両端部を保持する複数の凹形保持部６１を有するホルダ６，６が取外し可能に取付けられており、また、光学シート２の周方向の一部を支持する支持面７１と、光学シート２が支持面７１に沿う方向へ摺動するのを規制する二つの規制片７２，７２と、二つの位置決め突起７３，７３とを有し、反射シート５を箱部３１の底壁に押付けるシート押体７，７がホルダ６，６の外側に配置されている。
【００３５】
箱部３１の長手方向の両側壁３１ｂ，３１ｂには螺子孔３１ｃを有する複数のフランジ３１ｄが突設されており、螺子孔３１ｃに対応する複数の貫通孔７４がシート押体７，７に設けられている。
【００３６】
規制体４は、挿通孔３４，３４の夫々に挿通され、且つ第１延出片３２，３２の内面に係止される二つの係止爪４１，４１と、係止爪４１，４１の夫々と第１延出片３２，３２の延出方向へ離隔して対向し、第２延出片３３，３３に当接する二つの可撓片４２，４２と、該可撓片４２，４２の先端に突設され、係止孔３６に係止される爪部４２ａと、係止爪４１，４１及び可撓片４２，４２を連結し、第１延出片３２，３２に支持する光学シート２が第１延出片３２，３２の延出方向へ摺動するのを規制する規制部４３と、貫通孔３５に挿入される一つの突起４４とを有しており、合成樹脂により一体成形されている。
【００３７】
係止爪４１，４１は可撓片４２，４２より短い長さに形成され、挿通孔３４，３４の孔縁周りに係止された状態で可撓片４２，４２が第２延出片３３，３３に当接し、係止爪４１，４１を前記孔縁に押付けるように構成されている。爪部４２ａは係止爪４１，４１と反対側へ突設されており、可撓片４２，４２の弾性復元力によりと係止孔３６側へ付勢され、係止孔３６への係止状態を確実に維持することができるように構成されている。また、規制部４３は第１延出片３２，３２の長手方向に長くなっており、光学シート２との当接面積を比較的多くしてある。
【００３８】
反射シート５は一枚の合成樹脂シートからなり、直方形をなし、発光灯１が発光した光を光学シート２側に反射させる扁平部５ａと、該扁平部５ａの両側縁から立上がる二つの立上部５ｂ，５ｂ及び該立上部５ｂ，５ｂの先端から第１延出片３２，３２に沿う方向へ延出された延出部５ｃ，５ｃとを有する。この延出部５ｃ，５ｃの挿通孔３４，３４と対応する箇所に、立上部５ｂ，５ｂ側へ窪む二つの凹部５ｄが設けられており、また、貫通孔３５と対応する箇所に、厚さ方向に貫通する貫通孔５ｅが設けられている。
【００３９】
以上のように構成された光源装置は、液晶表示装置等の表示装置の光源として使用される。
この表示装置はテレビ画像を表示する表示パネル８と、該表示パネル８の裏側に配置された光源装置と、該光源装置及び表示パネル８の間に配置された光学シート２と、表示パネル８の周縁部を取囲む四角形をなすフロントキャビネットと、光源装置を覆うバックキャビネットとを備える液晶テレビ、換言すれば液晶表示装置である。
【００４０】
表示パネル８は、表側に画像表示面を有し直方体をなすパネル本体８１と、該パネル本体８１の周縁部を挟んで保持した四角形をなす二つの保持枠体８２とを備え、複数のボルトにより保持枠体８２，８２が支持体３に取着されている。保持枠体８２には螺子孔３１ｃに対応する複数の貫通孔８２ａが設けられている。
【００４１】
光学シート２は反射偏光板、プリズムシート、拡散シート、拡散板等が積層されており、表示パネルに対応する大きさの直方体をなしている。
【００４２】
以上のように構成された表示装置は、開放縁が上向となるように作業台に載置された支持体３の箱部３１内に二つのホルダ６，６を取付け、反射シート５を箱部３１内に挿入した後、発光灯１の両端部をホルダ６，６の凹形保持部６１に嵌入し、複数本の発光灯１を支持体３に支持する。次に二つのシート押体７，７を箱部３１に挿入し、ホルダ６，６の外側に配置するとともに、一方の第１延出片３２に二つの規制体４，４を係止する。この後、光学シート２の長手方向両端部を箱部３１の幅方向一方側からシート押体７，７の支持面７１，７１に当接させ、箱部３１の開放縁を塞ぐように横方向へ移動させつつ第１延出片３２，３２及びシート押体７，７に載置する。このとき、一方の第１延出片３２の挿通孔３４，３４には規制体４，４が係止されているため、光学シート２の一側縁を規制部４３，４３に当接させることにより、該光学シート２の一方への摺動を規制し、光学シート２を適正位置に位置決めして支持することができる。
【００４３】
光学シート２を支持体３に支持した後、他方の第１延出片３２に二つの規制体４，４を係止し、光学シート２の他方への摺動を規制体４，４の規制部４３，４３により規制する。このように支持体３の第１延出片３２，３２に複数の規制体４を係止して光学シート２の摺動を規制するため、光学シート２の適正位置への組込作業を簡易にできる。また、支持体３の規制体４に対応する部分は、側壁３１ａと第１延出片３２及び第２延出片３３とにより断面コ字形をなしており、規制体４に対応する挿通孔３４，３４が第１延出片３２，３２に設けられているため、支持体３が長手方向両端間で捩じれるのを抑制でき、支持体３の剛性を高めることができる。
【００４４】
光学シート２を光源装置に組み込んだ後、表示パネル８を光学シート２上に載置し、表示パネル８の保持枠体８２の貫通孔８２ａ、及びシート押体７の貫通孔７４にボルトを挿通し、該ボルトを支持体３の螺子孔３１ｃに緊締することにより、表示パネル８を支持体３に取着し、スタンド、フロントキャビネット、バックキャビネット等を取着する。
【００４５】
尚、以上説明した実施の形態では第１延出片３２に挿通孔３４，３４を設け、第２延出片３３に係止孔３６，３６を設け、規制体４が係止爪４１，４１及び爪部４２ａ，４２ａを有する構成としたが、その他、係止孔３６及び爪部４２ａをなくし、挿通孔３４を第１延出片３２に設け、係止爪４１、又は、係止爪４１及び可撓片４２により規制体４を第１延出片３２に係止するように構成してもよいし、また、第１延出片３２に、該第１延出片３２の延出方向に離隔する二つの挿通孔３４，３４を設け、該挿通孔３４，３４の夫々に挿通する係止爪４１，４１、又は、一方の挿通孔３４に挿通する係止爪４１及び他方の挿通孔３４に挿通する可撓片４２により規制体４を第１延出片３２に係止する構成としてもよく、また、係止爪４１，４１を係止孔３６，３６に係止する構成としてもよく、規制体４を係止する構成は特に制限されない。
【００４６】
また、以上説明した実施の形態では、箱部３１の対向する二つの側壁３１ａ，３１ａに連なる第１延出片３２，３２及び第２延出片３３，３３を有する構成としたが、その他、箱部３１の四つの側壁３１ａ，３１ｂに連なる第１延出片３２及び第２延出片３３を有する構成としてもよい。この場合、規制体４は四つの第１延出片３２に係止する構成としてもよい。
【図面の簡単な説明】
【００４７】
【図１】本発明に係る表示装置の構成を示す分解斜視図である。
【図２】本発明に係る光源装置の構成を示す分解斜視図である。
【図３】本発明に係る光源装置及び表示装置の要部の拡大斜視図である。
【図４】本発明に係る光源装置及び表示装置の要部の拡大斜視図である。
【図５】本発明に係る光源装置及び表示装置の要部の拡大断面図である。
【図６】本発明に係る光源装置及び表示装置の要部の拡大断面図である。
【図７】本発明に係る光源装置の規制体の構成を示す斜視図である。
【符号の説明】
【００４８】
１    発光灯
２    光学シート
３    支持体
３１  箱部
３１ａ  側壁（周壁）
３２  第１延出片
３３  第２延出片
３４  挿通孔
３５  貫通孔
３６  係止孔（係止部）
４    規制体
４１  係止爪
４２  可撓片
４２ａ  爪部
４３  規制部
４４  突起
５    反射シート
５ａ  扁平部
５ｂ  立上部
５ｃ  延出部
５ｅ  貫通孔
８    表示パネル
【図１】
0004397377.tif 000002
【図２】
0004397377.tif 000003
【図３】
0004397377.tif 000004
【図４】
0004397377.tif 000005
【図５】
0004397377.tif 000006
【図６】
0004397377.tif 000007
【図７】
0004397377.tif 000008